(57)【特許請求の範囲】
【請求項１】
電気信号の伝送路の分岐接続を行う分岐伝送路を有する分岐コネクタであって、
前記分岐コネクタは、前記分岐伝送路が面上に形成され、分岐接続先のそれぞれに対応した雄端子を表面に立設したプリント基板を有しており、
前記プリント基板の面上に形成された前記分岐伝送路は、当該分岐伝送路内の１点である分岐中心点から分岐接続先毎の当該分岐伝送路の端部までの伝送距離がすべての前記分岐接続先で略同一であり、かつ、前記雄端子に電気的に接続するランドの中心と当該ランドに電気的に接続する前記分岐伝送路の前記分岐中心点との間の距離が、すべての前記分岐接続先に対して略一定であり、
前記プリント基板が両面基板であり、前記分岐伝送路が差動信号を伝送する差動伝送路であるとき、
２つの前記分岐伝送路を、それぞれ１つずつ当該プリント基板の表面及び裏面に形成するとともに、前記分岐接続先毎にペアとなる前記プリント基板の表面の前記伝送距離と当該プリント基板の裏面の前記伝送距離が略一定であることを特徴とする分岐コネクタ。
【請求項２】
前記分岐コネクタは、前記プリント基板の面上に実装され、前記分岐接続先毎に対応した前記分岐伝送路の端部と当該分岐接続先毎に対応した前記雄端子とに電気的に接続し、当該分岐伝送路の端部と当該雄端子との間の電気信号の波形歪を抑制する電子部品を、前記雄端子毎に備えていることを特徴とする請求項１に記載の分岐コネクタ。
【請求項３】
前記プリント基板の面上に設けられ、前記雄端子に電気的に接続する前記ランドが、当該雄端子に電気的に接続する前記電子部品の一方の端部のランドを兼ねていることを特徴とする請求項２に記載の分岐コネクタ。
【請求項４】
前記プリント基板の面上に設けられ、前記雄端子に電気的に接続する前記ランドが、前記雄端子に隣接しかつ当該ランドとは直接電気的に接続していない前記電子部品との干渉を防止する形状を有していることを特徴とする請求項２または３に記載の分岐コネクタ。
【請求項５】
電気信号の伝送路の分岐接続を行う分岐伝送路を有する分岐コネクタであって、
前記分岐コネクタは、
前記分岐伝送路が面上に形成され、分岐接続先のそれぞれに対応した雄端子を表面に立設したプリント基板と、
前記プリント基板の面上に実装され、前記分岐接続先毎に対応した前記分岐伝送路の端部と当該分岐接続先毎に対応した前記雄端子とに電気的に接続し、当該分岐伝送路の端部と当該雄端子との間の電気信号の波形歪を抑制する、前記雄端子毎に備えられた電子部品と、
を有しており、
前記プリント基板の面上に形成された前記分岐伝送路は、当該分岐伝送路内の１点である分岐中心点から分岐接続先毎の当該分岐伝送路の端部までの伝送距離がすべての前記分岐接続先で略同一であり、かつ、前記雄端子に電気的に接続するランドの中心と当該ランドに電気的に接続する前記分岐伝送路の前記分岐中心点との間の距離が、すべての前記分岐接続先に対して略一定であり、
前記プリント基板の面上に設けられ、前記雄端子に電気的に接続する前記ランドが、前記雄端子に隣接しかつ当該ランドとは直接電気的に接続していない前記電子部品との干渉を防止する形状を有していることを特徴とする分岐コネクタ。
【請求項６】
前記プリント基板の面上に設けられ、前記雄端子に電気的に接続する前記ランドが、当該雄端子に電気的に接続する前記電子部品の一方の端部のランドを兼ねていることを特徴とする請求項５に記載の分岐コネクタ。
【請求項７】
電気信号の伝送路の分岐接続を行う分岐伝送路を有する分岐コネクタであって、
前記分岐コネクタは、前記分岐伝送路が面上及び／または多層基板のときの内層に形成され、分岐接続先のそれぞれに対応した雄端子を表面に立設したプリント基板を有しており、
前記プリント基板の面上及び／または多層基板のときの内層に形成された前記分岐伝送路は、当該分岐伝送路内の１点である分岐中心点から分岐接続先毎の当該分岐伝送路の端部までの伝送距離がすべての前記分岐接続先で略同一であり、かつ、前記雄端子に電気的に接続するランドの中心と当該ランドに電気的に接続する前記分岐伝送路の前記分岐中心点との間の距離が、すべての前記分岐接続先に対して略一定であり、
前記プリント基板が多層基板であり、前記分岐伝送路が差動信号を伝送する差動伝送路であるとき、
前記プリント基板は、２つの前記分岐伝送路をそれぞれ１つずつ、当該プリント基板の絶縁層を少なくとも１層挟んで形成されるとともに、前記分岐接続先毎にペアとなる前記伝送距離が略一定であることを特徴とする分岐コネクタ。
【請求項８】
前記分岐伝送路は、前記分岐接続先のそれぞれに対応した端部を有した放射状伝送部を備え、
前記放射状伝送部は、
前記分岐中心を有する分岐中央部と、
前記分岐中央部と一体化して形成され、前記分岐接続先のそれぞれに対応した端部を有する分岐伝送部と、
を備え、
前記放射状伝送部は、前記分岐伝送部の幅中心線が、前記分岐中央部の前記分岐中心点から２次元放射状に分岐し、前記分岐中心点から前記分岐伝送部の端部までの伝送距離がすべての前記分岐接続先で略同一となるとともに、前記分岐中央部と前記分岐伝送部とが一体化して形成されていることを特徴とする請求項１乃至７のいずれか１項に記載の分岐コネクタ。
【請求項９】
前記放射状伝送部は、前記分岐中心点を中心に隣り合う前記分岐伝送部の幅中心線のなす角が略同角度となるようなに形成されていることを特徴とする請求項８に記載の分岐コネクタ。
【請求項１０】
車載ネットワーク通信の終端接続部として用いることを特徴とする請求項１乃至９のいずれか１項に記載の分岐コネクタ。
【発明の詳細な説明】
【技術分野】
【０００１】
本発明は、電気信号の伝送路の分岐接続を行うため、例えば、車両の信号線の終端接続等に用いられる分岐コネクタに関する。
【背景技術】
【０００２】
分岐コネクタは、例えば、電線接続用コネクタに使用される。電線接続用コネクタは、例えば、接続すべき電線の端部に取り付けられる電線側コネクタと、該電線側コネクタに接続し電気信号の伝送路の分岐接続を行う分岐伝送路を有する分岐コネクタを使用した接続回路側コネクタとから構成され、電線側コネクタと接続回路側コネクタとを嵌合することにより、電線側コネクタに端部を接続された複数本の電線を一括して分岐伝送路に接続することができるような構造になっている。
【０００３】
近年、自動車としての安全性や快適性の要求に伴う車載通信においては、データ量の増加や複雑化に対応する高速でかつ信頼性の高いネットワークが構築されており、そのネットワークを介して制御信号、情報信号等の電気信号を伝送させるための車載通信における分岐コネクタの構成がいろいろと提案されている。また、車載通信の高速化に伴う、電気信号の波形歪を抑制するための電子部品（抵抗、コンデンサ等）を用いたフィルタ回路を挿入した、様々な分岐コネクタの構成も提案されている。
【０００４】
例えば、バスバータイプの構造では、フィルタ回路を実装することが容易ではないことから、接続パターンが形成されているプリント基板上に、電子部品を実装してフィルタ回路を構成する分岐コネクタも提案されている（例えば、特許文献１）。
【先行技術文献】
【特許文献】
【０００５】
【特許文献１】特開２０１０−１６０９３８号公報
【発明の概要】
【発明が解決しようとする課題】
【０００６】
しかしながら、従来の分岐コネクタは、電気信号を分岐接続する伝送路において、各分岐接続先に対応して分岐された伝送路の一部分である分岐伝送部は、伝送路の主幹部に対して略直角に分岐し、分岐接続先毎の複数の分岐伝送部が略平行に構成されている。そのため、伝送路の主幹部の一点から各分岐伝送部の端部までの距離（伝送距離）は、一定ではなかった。また、高速通信においては、電気信号の波長が短くなっていることから、分岐接続先によって伝送距離の異なる従来の分岐コネクタでは、伝送距離の違いによる電気信号の伝搬時間や電圧値等の違いが問題となる可能性があった。
【０００７】
そこで、本発明は、以上のような問題点を解決するためになされたもので、伝送路の分岐中央部の一点から各分岐接続先に対応して分岐された分岐伝送部の端部までの距離（伝送距離）が、すべての分岐接続先で略一定となる伝送路を構成することが可能な分岐コネクタを提供することを目的とする。
【課題を解決するための手段】
【０００８】
上述した従来の問題点を解決すべく下記の発明を提供する。
本発明の第１の態様にかかる分岐コネクタは、電気信号の伝送路の分岐接続を行う分岐伝送路を有する分岐コネクタであって、
前記分岐コネクタは、前記分岐伝送路が面上に形成され、分岐接続先のそれぞれに対応した雄端子を表面に立設したプリント基板を有しており、
前記プリント基板の面上に形成された前記分岐伝送路は、当該分岐伝送路内の１点である分岐中心点から分岐接続先毎の当該分岐伝送路の端部までの伝送距離がすべての前記分岐接続先で略同一であり、かつ、前記雄端子に電気的に接続するランドの中心と当該ランドに電気的に接続する前記分岐伝送路の前記分岐中心点との間の距離が、すべての前記分岐接続先に対して略一定であり、
前記プリント基板が両面基板であり、前記分岐伝送路が差動信号を伝送する差動伝送路であるとき、
２つの前記分岐伝送路を、それぞれ１つずつ当該プリント基板の表面及び裏面に形成するとともに、前記分岐接続先毎にペアとなる前記プリント基板の表面の前記伝送距離と当該プリント基板の裏面の前記伝送距離が略一定であることを特徴とする。
【００１１】
本発明の第２の態様にかかる分岐コネクタは、上記の本発明の第１の態様にかかる分岐コネクタにおいて、前記分岐コネクタは、前記プリント基板の面上に実装され、前記分岐接続先毎に対応した前記分岐伝送路の端部と当該分岐接続先毎に対応した前記雄端子とに電気的に接続し、当該分岐伝送路の端部と当該雄端子との間の電気信号の波形歪を抑制する電子部品を、前記雄端子毎に備えていることを特徴とする。
【００１２】
本発明の第３の態様にかかる分岐コネクタは、上記の本発明の第２の態様にかかる分岐コネクタにおいて、前記プリント基板の面上に設けられ、前記雄端子に電気的に接続する前記ランドが、当該雄端子に電気的に接続する前記電子部品の一方の端部のランドを兼ねていることを特徴とする。
【００１３】
本発明の第４の態様にかかる分岐コネクタは、上記の本発明の第２または３の態様にかかる分岐コネクタにおいて、前記プリント基板の面上に設けられ、前記雄端子に電気的に接続する前記ランドが、前記雄端子に隣接しかつ当該ランドとは直接電気的に接続していない前記電子部品との干渉を防止する形状を有していることを特徴とする。
本発明の第５の態様にかかる分岐コネクタは、電気信号の伝送路の分岐接続を行う分岐伝送路を有する分岐コネクタであって、
前記分岐コネクタは、
前記分岐伝送路が面上に形成され、分岐接続先のそれぞれに対応した雄端子を表面に立設したプリント基板と、
前記プリント基板の面上に実装され、前記分岐接続先毎に対応した前記分岐伝送路の端部と当該分岐接続先毎に対応した前記雄端子とに電気的に接続し、当該分岐伝送路の端部と当該雄端子との間の電気信号の波形歪を抑制する、前記雄端子毎に備えられた電子部品と、
を有しており、
前記プリント基板の面上に形成された前記分岐伝送路は、当該分岐伝送路内の１点である分岐中心点から分岐接続先毎の当該分岐伝送路の端部までの伝送距離がすべての前記分岐接続先で略同一であり、かつ、前記雄端子に電気的に接続するランドの中心と当該ランドに電気的に接続する前記分岐伝送路の前記分岐中心点との間の距離が、すべての前記分岐接続先に対して略一定であり、
前記プリント基板の面上に設けられ、前記雄端子に電気的に接続する前記ランドが、前記雄端子に隣接しかつ当該ランドとは直接電気的に接続していない前記電子部品との干渉を防止する形状を有していることを特徴とする。
本発明の第６の態様にかかる分岐コネクタは、上記の本発明の第５の態様にかかる分岐コネクタにおいて、前記プリント基板の面上に設けられ、前記雄端子に電気的に接続する前記ランドが、当該雄端子に電気的に接続する前記電子部品の一方の端部のランドを兼ねていることを特徴とする。
【００１４】
本発明の第７の態様にかかる分岐コネクタは、電気信号の伝送路の分岐接続を行う分岐伝送路を有する分岐コネクタであって、
前記分岐コネクタは、前記分岐伝送路が面上及び／または多層基板のときの内層に形成され、分岐接続先のそれぞれに対応した雄端子を表面に立設したプリント基板を有しており、
前記プリント基板の面上及び／または多層基板のときの内層に形成された前記分岐伝送路は、当該分岐伝送路内の１点である分岐中心点から分岐接続先毎の当該分岐伝送路の端部までの伝送距離がすべての前記分岐接続先で略同一であり、かつ、前記雄端子に電気的に接続するランドの中心と当該ランドに電気的に接続する前記分岐伝送路の前記分岐中心点との間の距離が、すべての前記分岐接続先に対して略一定であり、
前記プリント基板が多層基板であり、前記分岐伝送路が差動信号を伝送する差動伝送路であるとき、前記プリント基板は、２つの前記分岐伝送路をそれぞれ１つずつ、当該プリント基板の絶縁層を少なくとも１層挟んで形成されるとともに、前記分岐接続先毎にペアとなる前記伝送距離が略一定であることを特徴とする。
【００１７】
本発明の第８の態様にかかる分岐コネクタは、上記の本発明の第１乃至７のいずれか１つの態様にかかる分岐コネクタにおいて、前記分岐伝送路は、前記分岐接続先のそれぞれに対応した端部を有した放射状伝送部を備え、前記放射状伝送部は、前記分岐中心を有する分岐中央部と、前記分岐中央部と一体化して形成され、前記分岐接続先のそれぞれに対応した端部を有する分岐伝送部と、を備え、前記放射状伝送部は、前記分岐伝送部の幅中心線が、前記分岐中央部の前記分岐中心点から２次元放射状に分岐し、前記分岐中心点から前記分岐伝送部の端部までの伝送距離がすべての前記分岐接続先で略同一となるとともに、前記分岐中央部と前記分岐伝送部とが一体化して形成されていることを特徴とする。
【００１８】
本発明の第９の態様にかかる分岐コネクタは、上記の本発明の第８の態様にかかる分岐コネクタにおいて、前記放射状伝送部は、前記分岐中心点を中心に隣り合う前記分岐伝送部の幅中心線のなす角が略同角度となるようなに形成されていることを特徴とする。
【００１９】
本発明の第１０の態様にかかる分岐コネクタは、上記の本発明の第１乃至９のいずれか１つの態様にかかる分岐コネクタを、車載ネットワーク通信の終端接続部として用いることを特徴とする。
【発明の効果】
【００２０】
本発明によれば、分岐伝送路の分岐中心から各分岐接続先に対応して分岐された分岐伝送路の端部までの距離（伝送距離）が、すべての分岐接続先で略一定となるため、制御信号、情報信号等の電気信号の伝搬時間や電圧値がすべての分岐接続先で略同一となり、信頼性の高い通信を行うことができる。
【００２１】
また、プリント基板を用いることにより、容易に電子部品を実装することができ、電気信号の波形歪を抑制することができる。
【００２２】
また、すべての分岐接続先で略同一となる分岐伝送路を有したバスバーを２層使用したり、両面のそれぞれに１つずつ分岐伝送路を形成した両面基板であるプリント基板を使用したり、１層に１つの分岐伝送路を形成した２層を備えた多層基板であるプリント基板を使用したりすることにより、差動伝送路にも使用することができる。
【図面の簡単な説明】
【００２３】
【図１】本発明の実施形態にかかる分岐コネクタを説明するための図である。
【図２】本発明の実施形態にかかる分岐コネクタ２０の一例の概略側面図である。
【図３】本発明の実施形態にかかる分岐コネクタ２０の一例の表面側の概略平面図である。
【図４】本発明の実施形態にかかる分岐コネクタ２０の一例の裏面側の概略平面図である。
【図５】本発明の実施形態にかかる分岐コネクタ１２０の一例の概略側面図である。
【図６】本発明の実施形態にかかる分岐コネクタ１２０の一例の表面側の概略平面図である。
【図７】本発明の実施形態にかかる分岐コネクタ１２０の一例の裏面側の概略平面図である。
【図８】プリント基板１３０に実装された電子部品及びランドを説明するための拡大平面図である。
【図９】本発明の実施形態にかかる分岐コネクタ２２０の一例の概略側面図である。
【図１０】本発明の実施形態にかかる分岐コネクタ２２０の一例の表面側の概略平面図である。
【図１１】本発明の実施形態にかかる分岐コネクタ２２０の一例の裏面側の概略平面図である。
【図１２】本発明の実施形態にかかる分岐コネクタ３２０の一例の概略側面図である。
【図１３】本発明の実施形態にかかる分岐コネクタに使用されるバスバー７０の一例の概略斜視図である。
【図１４】（ａ）は、バスバー７０のロアケース１６側からの概略平面図であり、（ｂ）は、バスバー７０の概略側面図である。
【図１５】本発明の実施形態にかかる分岐コネクタに使用される２つのバスバー７０ａ及び７０ｂの一例の概略斜視図である。
【発明を実施するための形態】
【００２４】
以下に本発明の実施の形態を図面に基づいて詳細に説明する。尚、本実施の形態における記述は、本発明にかかる分岐コネクタの一例を示すものであり、これに限定されるものではない。本実施の形態における分岐コネクタの細部構成等に関しては、本発明の趣旨を逸脱しない範囲で適宜変更可能である。
【００２５】
まず、本発明の実施形態にかかる分岐コネクタについて説明する。図１は、本発明の実施形態にかかる分岐コネクタを説明するための図である。図１に示すように、例えば、本発明の実施形態にかかる分岐コネクタ２０は、電線同士を接続するときに使用する電線側コネクタ１１と接続回路側コネクタ１４とを備えた電線接続用コネクタ１に使用される。
【００２６】
電線側コネクタ１１は、電線用単層ユニット１２を複数層積層したものである。また、電線用単層ユニット１２は、例えば成形性に優れたポリプロピレン等の材料で形成された扁平ハウジング内に、電気信号の伝送を行う電線に接続される第１接続端子部を平面的に配列したものである。尚、符号１３はカバー部材である。
【００２７】
接続回路側コネクタ１４は、電線側コネクタ１１を収納する、例えば成形性に優れたポリプロピレン等の材料で形成されたアッパーケース１５と、第１接続端子部に嵌合する第２接続端子部と電気的に接続されている分岐伝送路を備えた分岐コネクタ２０と、アッパーケース１５と協働して分岐コネクタ２０を挟みこむ、例えば成形性に優れたポリプロピレン等の材料で形成されたロアケース１６と、を備えている。
【００２８】
尚、図１においては、分岐コネクタ２０として、プリント基板を用いた場合を示しているが、バスバーを用いても良い。また、プリント基板を用いた場合は、第１接続端子部を雌端子と呼び、第２接続端子部を雄端子と呼ぶ。また、バスバーを用いて場合は、第１接続端子部を雌接続端子部と呼び、第２接続端子部が雄接続端子部と呼ぶ。
【００２９】
上述したように本発明の実施形態にかかる分岐コネクタ２０を備えた電線接続用コネクタ１は、電線側コネクタ１１と接続回路側コネクタ１４とを嵌合させることによって、即ち、電線側コネクタ１１の第１接続端子部と接続回路側コネクタ１４の第２接続端子部とを嵌合させることによって、電気信号の伝送を行う電線を、分岐接続を行う所定の接続パターン（分岐伝送路）に一括して接続することができる。
【００３０】
次に、本発明の実施形態にかかる分岐コネクタについて説明する。
まず、プリント基板を使用した本発明の実施形態にかかる分岐コネクタ２０の一例について、図２乃至図４を参照して説明する。
【００３１】
図２は、本発明の実施形態にかかる分岐コネクタ２０の一例の概略側面図である。また、図３は、本発明の実施形態にかかる分岐コネクタ２０の一例の表面側の概略平面図であり、図４は、その分岐コネクタ２０の裏面側の概略平面図である。尚、本明細書では、分岐伝送路の分岐接続先数が５つの場合を例に挙げて説明する。
【００３２】
図２乃至図４に示すように、本発明の実施形態にかかる分岐コネクタ２０において、プリント基板３０には、分岐中央部４０と、分岐接続先のそれぞれの端部を有した５つの分岐伝送部４２と、を備えた分岐伝送路である放射状伝送部４３が、該プリント基板３０の表面に配線パターンとして形成されている。尚、図２乃至図４においては、プリント基板３０の表面に放射状伝送部４３を設けているが、裏面に放射状伝送部４３が設けられていても良い。ここで、プリント基板３０の表面とはアッパーケース１５側の面であり、プリント基板３０の裏面とはロアケース１６側の面である。
【００３３】
放射状伝送部４３は、分岐伝送部４２の幅中心線４５が、分岐中央部４０の分岐中心点４１から２次元放射状に分岐し、分岐中心点４１から分岐伝送部４２の端部４４までの伝送距離がすべての分岐伝送部４２で略同一となるとともに、分岐中央部４０と分岐伝送部４２とが一体化して形成されている。
【００３４】
また、放射状伝送部４３は、分岐中心点４１から分岐伝送部４２の幅中心線４５上の端部４４までの距離（伝送距離）Ｌが、すべての分岐接続先で略同一となる形状である。また、分岐中心点４１を中心に隣り合う幅中心線４５同士のなす角θは、略同角度であることが好ましい。また、すべての分岐接続先に対する分岐伝送部４２の幅Ｗも略同一であることが好ましい。
【００３５】
尚、図２乃至図４においては、分岐伝送路として、上述したような２次元放射状に分岐した分岐伝送部４２を有した形状の放射状伝送部４３である場合を例に挙げているが、分岐伝送路は、放射状伝送部４３に限らず、分岐伝送路内の一点である分岐中心点から該分岐伝送路の分岐接続先のそれぞれに対応した端部までの伝送距離がすべての分岐接続先で略同一となるように形成された分岐伝送路であれば良い。
【００３６】
また、プリント基板３０には、表面に分岐接続先のそれぞれに対応した雄端子５０が表面に立設している。尚、プリント基板３０の表面に立設した雄端子５０は、プリント基板３０の表面に対して垂直をなすように固定されている。
【００３７】
また、プリント基板３０には、雄端子５０のそれぞれに対応したランド５２及び５３が、放射状伝送部４３の設けられている面（図２乃至図４では表面）及びその反対面（図２乃至図４では裏面）のそれぞれの面上に設けられている。尚、プリント基板３０のランド５２及びランド５３は、同一のスルーホールの両端に位置しており、各ランド５２は放射状伝送部４３の各分岐伝送部４２に直接電気的に接続し、各ランド５３は放射状伝送部４３に直接電気的に接続していない。ここで、直接電気的に接続するとは、他のランドや伝送路を介さずに電気的に接続することである。また、ランド５２は、雄端子５０に電気的に接続されている。
【００３８】
上述したようなプリント基板３０を使用することにより、分岐伝送路である放射状伝送部４３の分岐中心点４１から分岐伝送部４２の端部４４までの距離（伝送距離）Ｌが、すべての分岐接続先で略一定となるため、制御信号、情報信号等の電気信号の伝搬時間や電圧値がすべての分岐接続先で略同一となり、信頼性の高い通信を行うことができる。
【００３９】
次に、本発明の実施形態にかかる分岐コネクタ２０と異なる別の一例である分岐コネクタ１２０について、図５乃至図８を参照して説明する。
【００４０】
図５は、本発明の実施形態にかかる分岐コネクタ１２０の一例の概略側面図である。また、図６は、本発明の実施形態にかかる分岐コネクタ１２０の一例の表面側の概略平面図であり、図７は、その分岐コネクタ１２０の裏面側の概略平面図である。また、図８は、プリント基板１３０に実装された電子部品及びランドを説明するための拡大平面図である。
【００４１】
図２乃至図４に示した分岐コネクタ２０と、図５乃至図７に示した分岐コネクタ１２０との相違点について説明する。分岐コネクタ２０は、プリント基板３０に電子部品が実装されていないが、分岐コネクタ１２０は、プリント基板１３０に電子部品６０が実装されており、各分岐接続先の雄端子５０と電気的に接続されるランド５２と放射状伝送部４３の各分岐伝送部４２とが、電子部品６０を介して電気的に接続されている。電子部品６０は、抵抗６１とインダクタンス６２であり、すべての雄端子５０のそれぞれに対応して、抵抗６１及びインダクタンス６２の１組がそれぞれ実装されている。
【００４２】
抵抗６１及びインダクタンス６２の一端が雄端子５０と電気的に接続されているランド５２に電気的に接続され、抵抗６１及びインダクタンス６２の他端が放射状伝送部４３の分岐伝送部４２に電気的に接続されることにより、電子部品６０である抵抗６１及びインダクタンス６２が並列回路を構成し、雄端子５０と放射状伝送部４３の分岐伝送部４２との間の制御信号や情報信号等の電気信号の波形歪を抑制することができる。
【００４３】
電子部品６０は、半田付け等により容易にプリント基板１３０に実装することができる。尚、半田付けの場合、プリント基板１３０への電子部品６０の実装に際しては、電子部品６０を半田付けするのに必要な分岐伝送部４２の最小領域を実装必要領域としたとき、実装必要領域以外の放射状伝送部４３の領域をレジストして半田付けの影響を受けないようにしても良い。
【００４４】
電子部品６０と電気的に接続するランド５２は、図８に示すように、＋Ｙ方向側の辺が長辺で、長辺に対向する−Ｙ方向側の辺が短辺となる異型の台形形状を有しており、ランド５２の中心部に、雄端子５０の基端部５１が位置している。即ち、各雄端子５０と電気的に接続する各ランド５２が、各雄端子５０に隣接しかつ各ランド５２と直接電気的に接続していない電子部品６０との干渉を防止する形状を有している。
【００４５】
また、各雄端子５０と電気的に接続する各ランド５２は、各電子部品６０の一端のランド、即ち、各抵抗６１及び各インダクタンス６２の一端のランドを兼ねている。これにより、各電子部品６０の一端のランドが各雄端子５０と電気的に接続する各ランド５２と一体化するので、各雄端子５０と各電子部品６０との間の距離が短くなり、電子部品６０によるノイズ除去の効果を向上させることができる。また、一体化によりランド全体の面積が小さくなることからプリント基板１３０全体の小型化を更に図ることができる。即ち、分岐コネクタ１２０の小型化を更に図ることができる。
【００４６】
また、各雄端子５０と電気的に接続する各ランド５２が、各雄端子５０に隣接しかつ各ランド５２と直接電気的に接続していない電子部品６０との干渉を防止する形状を有しているので、各雄端子５０が隣接する電子部品６０に対してノイズの影響を与えることを防止するとともに、プリント基板１３０全体の小型化を更に図ることができる。
【００４７】
尚、図５乃至図８において、各雄端子５０と電気的に接続する各ランド５２は、各電子部品６０の一端のランドと一体化した形状であるが、各雄端子５０と電気的に接続する各ランド５２と各電子部品６０の一端のランドとが別のランドであっても良く、電子部品６０をプリント基板１３０に実装することにより、雄端子５０と放射状伝送部４３の分岐伝送部４２との間の制御信号や情報信号等の電気信号の波形歪を抑制することができる。
【００４８】
次に、本発明の実施形態にかかる分岐コネクタ２０及び１２０と異なる別の一例である分岐コネクタ２２０について、図９乃至図１１を参照して説明する。尚、プリント基板２３０は両面基板である。
【００４９】
図９は、本発明の実施形態にかかる分岐コネクタ２２０の一例の概略側面図である。また、図１０は、本発明の実施形態にかかる分岐コネクタ２２０の一例の表面側の概略平面図であり、図１１は、その分岐コネクタ２２０の裏面側の概略平面図である。
【００５０】
図５乃至図７に示した分岐コネクタ１２０と、図９乃至図１１に示した分岐コネクタ２２０との相違点について説明する。分岐コネクタ１２０は、プリント基板１３０の片面にのみ放射状伝送部４３が形成されているが、分岐コネクタ２２０は、プリント基板２３０の表面及び裏面に、それぞれ１つずつ放射状伝送部４３を形成している。
【００５１】
尚、プリント基板２３０は、プリント基板１３０の場合と同様に、各放射状伝送部４３に対して、分岐接続先毎に雄端子５０と、該雄端子５０と電気的に接続するランド５２と、スルーホールの該ランド５２の反対の端部に設けられたランド５３と、該ランド５２と放射状伝送部４３の各分岐伝送部４２とに電気的に接続される電子部品６０を備えている。また、プリント基板２３０の表面及び裏面に設けられた２つの放射状伝送部４３に対応するすべての雄端子５０は、プリント基板２３０の表面に立設している。
【００５２】
プリント基板２３０の表面及び裏面に設けられた２つの放射状伝送部４３は、プリント基板２３０の表面または裏面から透視したとき、各放射状伝送部４３の分岐中心点４１は、プリント基板２３０の表面または裏面から透視したとき、重なり合うように形成されることが好ましい。
【００５３】
上記のような構成のプリント基板２３０を使用した分岐コネクタ２２０は、放射状伝送部４３が差動信号を伝送する差動伝送路である場合に特に、信頼性の高い通信を行うことができる。
【００５４】
次に、本発明の実施形態にかかる分岐コネクタ２０、１２０及び２２０と異なる別の一例である分岐コネクタ３２０について、図１２を参照して説明する。尚、プリント基板３３０は多層基板である。図１２は、本発明の実施形態にかかる分岐コネクタ３２０の一例の概略側面図である。
【００５５】
図９乃至図１１に示した分岐コネクタ２２０と、図１２に示した分岐コネクタ３２０との相違点について説明する。分岐コネクタ２２０は、プリント基板２３０の表面及び裏面にそれぞれ１つずつ放射状伝送部４３が形成されているのに対して、分岐コネクタ３２０は、２つの放射状伝送部４３を有し、プリント基板３３０を構成する複数の絶縁層の中の少なくとも１つの絶縁層を挟んで放射状伝送部４３が形成されている。また、電子部品６０がなくランド５２と放射状伝送部４３の各分岐伝送部４２とが図２乃至図４に示した場合と同様に直接電気的に接続される。
【００５６】
図１２においては、中間の絶縁層３７０の両面に、それぞれ１つずつ放射状伝送部４３が形成されている。尚、複数の絶縁層を挟むことも可能である。その場合は、内部の導電層はその他の伝送路とすることも可能である。また、図１２においては、プリント基板３３０の内層に２つの放射状伝送部４３をともに形成しているが、２つの放射状伝送部４３の内の１つをプリント基板３３０の表面または裏面に形成しても良い。
【００５７】
上記のような構成のプリント基板３３０を使用した分岐コネクタ３３０は、放射状伝送部４３が差動信号を伝送する差動伝送路である場合に特に、信頼性の高い通信を行うことができる。
【００５８】
次に、バスバーを使用した本発明の実施形態にかかる分岐コネクタの一例について、図１３及び図１４を参照して説明する。
【００５９】
図１３は、本発明の実施形態にかかる分岐コネクタに使用されるバスバー７０の一例の概略斜視図である。また、図１４（ａ）は、本発明の実施形態にかかる分岐コネクタに使用されるバスバー７０のロアケース１６側からの概略平面図であり、（ｂ）はバスバー７０の概略側面図である。
【００６０】
図１３及び図１４に示すように、バスバー７０は、分岐中央部１４０と、分岐接続先のそれぞれの端部を有した５つの分岐伝送部１４２と、を有する分岐伝送路である放射状伝送部１４３を備え、更に、放射状伝送部１４３の分岐伝送部１４２とそれぞれ直接電気的に接続する雄接続端子部１５０を備えている。
【００６１】
放射状伝送部１４３は、分岐伝送部１４２の幅中心線１４５が、分岐中央部１４０の分岐中心点１４１から２次元放射状に分岐し、分岐中心点１４１から分岐伝送部１４２の端部１４４までの距離がすべての分岐伝送部１４２で略同一となるとともに、分岐中央部１４０と分岐伝送部１４２とが一体化して形成されている。
【００６２】
放射状伝送部１４３は、分岐中心点１４１から分岐伝送部１４２の幅中心線１４５上の端部１４４までの距離Ｌが、すべての分岐接続先で略同一となる形状である。また、分岐中心点１４１を中心に隣り合う幅中心線１４５同士のなす角θは、略同角度であることが好ましい。また、すべての分岐接続先に対する分岐伝送部１４２の幅Ｗも略同一であることが好ましい。
【００６３】
バスバー７０は、雄接続端子部１５０が、放射状伝送部１４３の分岐伝送部１４２と一体化しおり、分岐中心点１４１から雄接続端子部１５０の端部までの伝送距離がすべての分岐接続先で略同一となるように形成されている。
【００６４】
上述したようなバスバー７０を使用することにより、分岐伝送路である放射状伝送部１４３の分岐中心点１４１から接続端子部１５０の端部までの伝送距離が、すべての分岐接続先で略一定となるため、制御信号、情報信号等の電気信号の伝搬時間や電圧値がすべての分岐接続先で略同一となり、信頼性の高い通信を行うことができる。
【００６５】
また、図１５に示すように、２つのバスバー７０（７０ａ及び７０ｂ）を互いに接触しないように２層化した構成にしても良い。即ち、バスバー７０ａ及び７０ｂの各放射状伝送部１４３ａ及び１４３ｂの面が互いに略平行で、かつ、面接触しないように２層化した構成にしても良い。このとき、放射状伝送部１４３ａの分岐中心点１４１ａと放射状伝送部１４３ｂの分岐中心点１４１ｂとは、放射面の一方から透視したとき、重なるように形成することが好ましい。また、２層化に限定されず、多層化とすることも可能である。
【００６６】
図１５に示した２つのバスバー７０ａ及び７０ｂを使用した分岐コネクタは、放射状伝送部１４３が差動信号を伝送する差動伝送路である場合に特に、信頼性の高い通信を行うことができる。
【００６７】
上述したプリント基板３０、１３０、２３０、または３３０、あるいはバスバー７０を用いた本発明の実施形態にかかる分岐コネクタは、制御信号や情報信号等の電気信号の信頼性を必要とする、車両の通信プロトコルであるＣＡＮ等を適用した車載ネットワーク通信の終端接続部として用いことにより、車載ネットワーク通信のより高い信頼性を得ることができる。
【００６８】
特に、次世代の自動車としてより安全性や快適性を要求されていることに伴う車両の制御システムのデータ量の増加や複雑化に対応する高速でかつ信頼性の高いネットワークを構築するための車両の通信プロトコルであるフレックスレイ（Ｆｌｅｘ  Ｒａｙ）を適用した信号線の終端接続部として、本発明の実施形態にかかる分岐コネクタを用いることにより、車両の電子機器や電気機器間及び制御コントローラとの通信のより高い信頼性を得ることができる。
【符号の説明】
【００６９】
１  ：  電線接続用コネクタ
１１  ：  電線側コネクタ
１２  ：  電線用単層ユニット
１３  ：  カバー部材
１４  ：  接続回路側コネクタ
１５  ：  アッパーケース
１６  ：  ロアケース
２０，１２０，２２０，３２０  ：  分岐コネクタ
３０，１３０，２３０，３３０  ：  プリント基板
４０  ：  分岐中央部
４１  ：  分岐中心点
４２  ：  分岐伝送部
４３  ：  放射状伝送部
４４  ：  幅中心位置
４５  ：  幅中心線
５０  ：  雄端子
５１  ：  基端部
５２，５３  ：  ランド
６０  ：  電子部品
６１  ：  抵抗
６２  ：  インダクタンス
７０、７０ａ，７０ｂ  ：  バスバー
【図１】
0005705601.tif 000002
【図２】
0005705601.tif 000003
【図３】
0005705601.tif 000004
【図４】
0005705601.tif 000005
【図５】
0005705601.tif 000006
【図６】
0005705601.tif 000007
【図７】
0005705601.tif 000008
【図８】
0005705601.tif 000009
【図９】
0005705601.tif 000010
【図１０】
0005705601.tif 000011
【図１１】
0005705601.tif 000012
【図１２】
0005705601.tif 000013
【図１３】
0005705601.tif 000014
【図１４】
0005705601.tif 000015
【図１５】
0005705601.tif 000016